(57)【要約】【課題】  物品を収納した物品検索棚から、所望のホルダを容易に取り出すことができるホルダピックアップ装置を提供する。【解決手段】  電波を出力する無線タグ用アンテナ１２と収納部に収納された無線タグ付き収納ホルダ７をその収納部から押し出すアーム１３を有するホルダピックアップ機構とを有したキャリッジ９を、郵便物検索棚の収納部に収納された無線タグ付き収納ホルダ７の無線タグ８の並び方向へ移動しながら、無線タグ用アンテナ１２から出力した電波に応答して無線タグ８から出力された電波が示す情報に基づいて、所定の無線タグ８を有する無線タグ付き収納ホルダ７を検索し、その検索された無線タグ付き収納ホルダ７をホルダピックアップ機構で押し出す。【選択図】図２
2006089267.tif 000002
【特許請求の範囲】
【請求項１】
物品を収納する無線タグ付き収納ホルダを収納する収納部を有する物品検索棚と、
電波を出力する無線タグ用アンテナと、前記収納部に収納された無線タグ付き収納ホルダをその収納部から押し出すホルダピックアップ機構とを有する移動部材と、
前記収納部に収納された無線タグ付き収納ホルダの無線タグの並び方向へ前記移動部材を移動させる移動手段と、
前記移動部材が移動しながら前記無線タグ用アンテナから出力した電波に応答して前記無線タグから出力された電波が示す情報に基づいて、所定の無線タグを有する無線タグ付き収納ホルダを検索する検索手段と、
前記検索手段で検索された無線タグ付き収納ホルダを前記ホルダピックアップ機構で押し出す制御手段とを具備したことを特徴とするホルダピックアップ装置。
【請求項２】
前記ホルダピックアップ機構は、退避位置と前記収納部に収納された無線タグ付き収納ホルダを前記収納部から押し出す位置との間を回動可能なアームと、このアームを回動させる駆動手段とからなることを特徴とする請求項１に記載のホルダピックアップ装置。
【請求項３】
前記移動手段は、前記収納部に収納された無線タグ付き収納ホルダの上側を移動するように設けられていることを特徴とする請求項２に記載のホルダピックアップ装置。
【発明の詳細な説明】
【技術分野】
【０００１】
本発明は、物品を収納する無線タグ付き収納ホルダを収納部に収納する物品検索棚から所定の無線タグ付き収納ホルダをピックアップするホルダピックアップ装置に関する。
【背景技術】
【０００２】
従来、例えば郵便局における記録扱いの郵便物や病院等における患者のカルテ等の物品をホルダ（ファイル）に収納し、そのホルダを棚に収納して保管することが行われている。このように物品を収納したファイルを棚から検索するものとして、コンピュータ本体と、このコンピュータから本体からの検索信号を発信可能な受発信部を複数の棚段毎に設けた収納棚と、この棚側の受発信部からの検索信号を受信可能な受発信部及びこの受発信部にて受信された検索信号が自己の固有番地と一致した際に発光する発光表示器とを備え、コンピュータ本体とファイル等の被検索物の受発信装置を収納棚の受発信部を介して双方向通信可能ならしめることによって収納棚のファイル等の被検索物の保管位置及び保管状態をコンピュータ本体の画面にて管理可能にしたものが知られている（例えば、特許文献１参照。）。
【特許文献１】特許第２５９３３１９号公報
【発明の開示】
【発明が解決しようとする課題】
【０００３】
特許文献１に記載されたものによると、収納棚に収納されたファイル等の保管位置をコンピュータ本体の画面に表示することができるので、ファイル等被検索物を保管している収納棚等が多数存在する場合に、発光表示器の点灯の光だけでは被検索物の保管位置を容易に探すことができない場合であっても被検索物を保管してなる収納棚の位置やこの収納棚での被検索物の保管位置等を瞬時に、且つ極めて容易に探し出すことができる。
【０００４】
しかしながら、収納棚には同形状のホルダ等が、隙間なく整然と並べられて保管される。このように収納棚に収納されているため所望のホルダ等を容易に探し出すことができても、収納棚から容易に取り出すことができない場合がある。
【０００５】
本発明は上記事情に鑑みてなされたものであって、その目的は、物品を収納した物品検索棚から、所望のホルダを容易に取り出すことができるホルダピックアップ装置を提供することにある。
【課題を解決するための手段】
【０００６】
本発明は、電波を出力する無線タグ用アンテナと収納部に収納された無線タグ付き収納ホルダをその収納部から押し出すホルダピックアップ機構とを有するキャリッジ等の移動部材を、物品検索棚の収納部に収納された無線タグ付き収納ホルダの無線タグの並び方向へ移動しながら無線タグ用アンテナから出力した電波に応答して無線タグから出力された電波が示す情報に基づいて所定の無線タグを有する無線タグ付き収納ホルダを検索し、その検索された無線タグ付き収納ホルダをホルダピックアップ機構で押し出すものである。
【発明の効果】
【０００７】
本発明によると、物品を収納した物品検索棚から、所望のホルダを容易に取り出すことができるホルダピックアップ装置を提供できる。
【発明を実施するための最良の形態】
【０００８】
以下、本発明の一実施の形態について図面を参照して説明する。  
図１は、物品としての記録扱い郵便物を収納するホルダピックアップ装置１００の外観を示す図である。物品検索棚としての郵便物検索棚１には、例えば、受取人が不在等の理由により郵便局に持ち戻された記録扱い郵便物等が保管される。この郵便物検索棚１にはホストコンピュータ２が接続されている。
【０００９】
郵便物検索棚１は一面が開口された直方体形状をしている。そして、この郵便物検索棚１内の底面には、その開口部から背面方向に沿って複数の仕切り板３が立設されている。隣接する仕切り板３のピッチは無線タグ付き収納ホルダ７の厚さとほぼ同じに設定されており、仕切り板３の高さは、無線タグ付き収納ホルダ７を自立させるのに十分な高さに設定されている。このようにして、仕切り板３がｎ個の場合には、（ｎ＋１）個の収納部４が形成される。また、各収納部４の下側には、収納部４と１対１に対応して開口部に面するように、ランプ５が配設されている。また、郵便物検索棚１の奥側には、無線タグリーダ６が配設されている。なお、詳細は図２及び図３を用いて後述するが、郵便物検索棚１内の上部には、無線タグ付き収納ホルダ７に設けられた無線タグ８から情報を読取る等の処理を行うために用いられる移動部材であるキャリッジ９が配設されている。
【００１０】
次に、無線タグ付き収納ホルダ７の構成について説明する。無線タグ付き収納ホルダ７の一側面の上方で、かつ、郵便物検索棚１に収納されたときに奥側となる所定位置に、無線タグ８が取り付けられている。そして、この無線タグ付き収納ホルダ７内には記録扱い郵便物等が収納される。また、無線タグ付き収納ホルダ７は矢印Ａ方向に沿うように、郵便物検索棚１の収納部４に挿入される。なお。無線タグ付き収納ホルダ７の高さは、無線タグ付き収納ホルダ７が収納部４に収納されたときに、郵便物検索棚１の収納部４から無線タグ付き収納ホルダ７を取り出しやすいように、郵便物検索棚１の内側上面と無線タグ付き収納ホルダ７の上面とに隙間ができる高さとなっている。
【００１１】
図２は、このように収納部４に収納された複数の無線タグ付き収納ホルダ７の上側をキャリッジ９が移動しながら無線タグ８から情報を読取る構成を説明するための図であり、図３はキャリッジ９の外観を概略的に示す斜視図である。両図に示すように、無線タグ付き収納ホルダ７に設けられた無線タグ８の並び方向の上側をキャリッジ９が往復移動する際に支持する棒状の支持部材１０が設けられている。この支持部材１０は郵便物検索棚１内の両側面に取り付けられている（図示しない。）。また、キャリッジ９を支持部材１０に沿って初期位置から所定位置まで往復移動するために内側に歯が設けられた無端状のベルト１１が設けられている。この無端状のベルト１１の一部は、キャリッジ９内を通過しており、キャリッジ９内部の固定部材と歯合している（図示しない。）。また、キャリッジ９の下側面には、無線タグ付き収納ホルダ７に設けられた無線タグ８から情報を読取るための無線タグ用アンテナ１２が設けられている。さらに、キャリッジ９には、図３に示すように、所定軸を中心に、退避位置（図３において実線で図示。）と、収納部４に収納された無線タグ付き収納ホルダ７を押し出す位置（図３において２点鎖線で図示。）との間を回動可能なアーム１３が設けられている。
【００１２】
次に、図４を参照して無線タグリーダ６の要部構成について説明する。無線タグリーダ６は上位端末、つまりホストコンピュータ２とのインタフェース（Ｉ／Ｆ）１４、ＣＰＵ、ＲＯＭ、ＲＡＭ等で構成される制御部１５、無線タグ８への送信データを変調する変調部１６、変調電波を増幅して無線タグ用アンテナ１２ら放射させる送信アンプ１７、無線タグ用アンテナ１２で受信した電波を増幅する受信アンプ１８及び増幅された受信電波を復調する復調部１９等から構成される。制御部１５は、無線タグ用アンテナ１２を用いた電波の入出力の制御、キャリッジ９を支持部材１０に沿って往復移動させるとともにキャリッジ９を無線タグ付き収納ホルダ７を収納した収納部４に応じた位置まで移動させるために無端状のベルト１１の内側に歯合した歯付モータシャフトを回転させるモータ２０の制御（移動手段）、キャリッジ９内に設けられたアーム１３を退避位置と無線タグ付き収納ホルダ７を押し出す位置とで回動させる制御を行う駆動手段であるアーム駆動部９ａへの回動の指示を出す制御、ランプ５の点灯制御等の制御を行う。なお、２１１から２１ｎは各収納部４対応して設けられた前述したランプ５を意味している。
【００１３】
次に、図５を用いて無線タグ８の内部構成を示す。無線タグ８は、送受信可能なタグアンテナ２２とＬＳＩチップ２３とを基板と一体成形した独立の部品である。タグアンテナ２２は、矩形状に成形されたループコイル等からなる。ＬＳＩチップ２３は、タグアンテナ２２で受信した変調電波の整流と安定化を行うことによりＬＳＩチップ２３の各部に電源を供給する電源生成部２４、上記変調電波を復調して制御部２５へ送信する復調部２６、制御部２５から送信されたデータを変調してタグアンテナ２２に送信する変調部２７、復調部２６で復調されたデータのメモリ２８への書き込みや、メモリ２８から送信データを読み出して変調部２７へ送出する制御部２５及びメモリ２８等で構成されている。メモリ２８には、当該無線タグ８の製造段階で製造業者により割当て設定された固有無線ＩＤ（ＲＦＩＤ）を記憶する無線ＩＤエリアと、ユーザで任意のデータを書き込むことができるユーザエリアとが形成されている。
【００１４】
次に、図６を用いてホストコンピュータ２の構成について説明する。ホストコンピュータ２はＣＰＵ２９を中心に構成されている。ＣＰＵ２９のシステムバス３０には、ＲＯＭ３１、ＲＡＭ３２、入力部３３、表示部３４、インタフェース（Ｉ／Ｆ）３５、バーコードリーダ３６、無線タグリーダ３７が接続される。このインタフェース３５は前述した無線タグリーダ６のインタフェース１４に接続される。
【００１５】
次に、上記のように構成された本発明の一実施の形態の動作について説明する。受取人が不在のため郵便局に持ち戻された郵便物は、図１の無線タグ付き収納ホルダ７に収納された後、郵便物検索棚１に収納されて保管される。この際、局員は以下の示す手順により郵便物を郵便物検索棚１に収納させている。
【００１６】
まず、持ち戻った記録扱い郵便物をどの無線タグ付き収納ホルダ７に収納したかをホストコンピュータ２に登録する作業を行う。受取人が不在の場合には、郵便局員は不在配達票を受取人の所に置いて来る。その不在配達票には、郵便物を特定するためのお知らせ番号が記載されている。また、郵便局員はお知らせ番号が記載された用紙を郵便物に貼り付けて郵便局に持ち戻る。そして、ホストコンピュータ２に備えられているバーコードリーダ３６によりその用紙に記載されているお知らせ番号を読み取り、無線タグ付き収納ホルダ７に取り付けられている無線タグ８の固有無線ＩＤを無線タグリーダ３７で読み取り、固有無線ＩＤとお知らせ番号とを図７に示すように対応付けてＲＡＭ３２に記憶させる処理を行う。
【００１７】
そして、郵便局員は郵便物を収納した無線タグ付き収納ホルダ７を郵便物検索棚１の空いている収納部４に挿入する。以下、同様にして郵便局員が持ち戻った郵便物は同様の処理を経て郵便物検索棚１に収納される。
【００１８】
次に、受取人が不在配達票を持参して郵便局に郵便物を受け取りに来たときの処理について説明する。先ず、郵便局員は不在配達票に記載されているお知らせ番号を入力部３３から入力する。すると、ホストコンピュータ２は入力部３３から入力されたお知らせ番号に対応する記録扱い郵便物が収納された無線タグ付き収納ホルダ７に取り付けられている無線タグ８の固有無線ＩＤをＲＡＭ３２に記憶されている図７のテーブルを検索することにより求める。
【００１９】
そして、検索すべき記録扱い郵便物を収納した無線タグ付き収納ホルダ７に取り付けられた無線タグ８の固有無線ＩＤが判明すると、この固有無線ＩＤを検索用ＩＤとして該当する無線タグ付き収納ホルダ７を検索する処理を行う。
【００２０】
つまり、無線タグリーダ６の制御部１５はモータ２０を駆動して、初期位置（一端にある収納部４に収納された無線タグ付き収納ホルダ７の無線タグ８から情報を読取れる位置）から所定位置（他端にある収納部４に収納された無線タグ付き収納ホルダ７の無線タグ８から情報を読取れる位置）へのキャリッジ９の移動を開始させる。このように初期位置から所定位置までキャリッジ９を移動させながら、無線タグ８から固有無線ＩＤを読取るための電波を無線タグ用アンテナ１２から出力する。そして、このように放射された電波の問いかけに応答して、各無線タグ８は自己の固有無線ＩＤを無線タグリーダ６に返信する。そして、制御部１５は無線タグ８から返送された固有無線ＩＤが問い合わせた固有無線ＩＤと一致しているかを判断する。そして、一致していると判断した場合には、対応するランプ５を点灯あるいは点滅させる処理を行うとともに、制御部１５内のＲＡＭにその無線タグ８が設けられた無線タグ付き収納ホルダ７の位置を示す情報を記憶する。このようにキャリッジ９を移動させながら前述した所定位置まで進むと、収納部４に収納された無線タグ付き収納ホルダ７に設けられた無線タグ８の固有無線ＩＤの検索が終了する（検索手段）。
【００２１】
すると、制御部１５は、キャリッジ９を初期位置まで移動させる。このとき、制御部１５は、所望の固有無線ＩＤが検索されなければ、例えば、コンピュータの表示部３４にエラーを表示するための情報をホストコンピュータ２へ送信する。
【００２２】
また、制御部１５は、所望の固有無線ＩＤが検索されていると、すなわち、制御部１５内のＲＡＭに無線タグ付き収納ホルダ７の位置を示す情報が記憶されていると、その位置までキャリッジ９を移動させる。これにより、郵便局員が求めるお知らせ番号と対応する書留扱いの郵便物を収納した無線タグ付き収納ホルダ７に対応する位置までキャリッジ９が移動される。キャリッジ９の移動が終了すると、制御部１５は、アーム駆動部９ａを制御してアーム１３を退避位置から無線タグ付き収納ホルダ７を押し出す位置まで回動させる（制御手段）。これにより、例えば、図８に示すように、検索された固有無線ＩＤを記憶した無線タグ８が設けられた無線タグ付き収納ホルダ７ａが押し出される。
【００２３】
この実施の形態によると、郵便物検索棚１に同形状の無線タグ付き収納ホルダ７が隙間なく整然と並べられて保管されているため無線タグ付き収納ホルダ７を取り出しにくくなっているが、所望の記録扱い郵便物を収納した無線タグ付き収納ホルダ７が収納部４から押し出されため、郵便局員は、無線タグ付き収納ホルダ７を取り出しやすくなる。例えば、無線タグ付き収納ホルダ７の厚さが例えば、５ｍｍ程度のように薄い場合には、無線タグ付き収納ホルダ７が特に取り出しにくいので、特に有効である。
【００２４】
また、無線タグ付き収納ホルダ７が収納部４から押し出されため、郵便局員は、所望の記録扱い郵便物を収納した無線タグ付き収納ホルダ７を見つけやすくなる。郵便物検索棚１を設置する部屋の照明等によってはランプ５の発光が見えにくい場合も考えられるが、このような場合にも、無線タグ付き収納ホルダ７が見つけやすくなる。
【００２５】
さらに、上記実施の形態は、無線タグ付き収納ホルダ７の上方に無線タグ８を設け、その上側をキャリッジ９が移動して無線タグ８から固有無線ＩＤを読取るように構成しているため、郵便物検索棚１の内側上面と無線タグ付き収納ホルダ７の上面との隙間を有効に活用することができる。しかしながら、郵便物検索棚１の設置場所のスペース等に応じて、例えば、無線タグ８を無線タグ付き収納ホルダ７の背面（郵便物検索棚１の奥側方向）に設け、無線タグ付き収納ホルダ７の背面側をキャリッジ９が移動するように構成しても良いし、無線タグ８を無線タグ付き収納ホルダ７の下方に設け、無線タグ付き収納ホルダ７の下側をキャリッジ９が移動するように構成しても良い。
【００２６】
なお、上記実施の形態では、キャリッジ９を初期位置から所定位置まで移動させて所望の固有無線ＩＤの検索を行った後、一端初期位置までキャリッジ９を戻してから、再度前記固有無線ＩＤを記憶した無線タグ付き収納ホルダ７に対応する位置までキャリッジ９を移動させて、無線タグ付き収納ホルダ７を押し出しているが、所望の固有無線ＩＤを検索したときに、キャリッジ９の移動を停止して、その無線タグ付き収納ホルダ７を押し出すようにしても良い。
【００２７】
なお、上記実施の形態は、物品として記録扱い郵便物を無線タグ付き収納ホルダ７に収納し、その無線タグ付き収納ホルダ７を収納部４に収納する郵便物検索棚１の場合において説明したが、本発明はこれに限られず、例えば、病院における物品として患者のカルテを収納する場合等の大量の書類をホルダに分けて管理する必要がある場合に適用できるものである。
【００２８】
なお、本発明は、上述した実施の形態そのままに限定されるものではなく、実施段階ではその要旨を逸脱しない範囲で構成要素を変形して具体化できるものである。
【図面の簡単な説明】
【００２９】
【図１】本発明の実施の形態におけるホルダピックアップ装置の外観を示す図。
【図２】同実施の形態における無線タグ付き収納ホルダを押し出す構成を説明するための図。
【図３】同実施の形態におけるキャリッジの外観を概略的に示す図。
【図４】同実施の形態における無線タグリーダの要部構成を示す図。
【図５】同実施の形態における無線タグの要部構成を示す図。
【図６】同実施の形態におけるホストコンピュータの要部構成を示す図。
【図７】同実施の形態における固有無線ＩＤとお知らせ番号との対応関係を示すテーブル。
【図８】同実施の形態における無線タグ付き収納ホルダが押し出された様子を示す図。
【符号の説明】
【００３０】
１…郵便物検索棚、２…ホストコンピュータ、４…収納部、６…無線タグリーダ、７…無線タグ付き収納ホルダ、８…無線タグ、９…キャリッジ、９ａ…アーム駆動部、１３…アーム、１５…制御部、２０…モータ
【図１】
2006089267.tif 000003
【図２】
2006089267.tif 000004
【図３】
2006089267.tif 000005
【図４】
2006089267.tif 000006
【図５】
2006089267.tif 000007
【図６】
2006089267.tif 000008
【図７】
2006089267.tif 000009
【図８】
2006089267.tif 000010